(57)【特許請求の範囲】
【請求項１】
個人識別番号であるＰＩＮ（パーソナル・アイデンティティ・ナンバー）を含む個人情報が記憶されたカードと、
前記カードが着脱可能に装着された無線電話装置本体と、
前記無線電話装置本体に設けられ、前記ＰＩＮを入力可能な本体入力手段と、
前記無線電話装置本体に設けられ、前記本体入力手段から入力されたＰＩＮと前記カードに記憶されたＰＩＮとを照合し、両者が一致したならば前記カードを利用可能とし、両者が一致しなかったならば前記カードを利用不可能とする制御手段と、
前記ＰＩＮを入力可能であって前記カードを利用可能な外部機器と接続するためのコネクタと
を備え、
前記制御手段は、前記コネクタに前記外部機器が接続された場合であって前記外部機器からＰＩＮが入力された場合には、該ＰＩＮと前記カードに記憶されたＰＩＮとを照合し、両者が一致したならば前記カードを利用可能とし、両者が一致しなかったならば前記カードを利用不可能とすると共に、
前記無線電話装置本体及び外部機器は、共に表示手段を備えており、前記制御手段は、前記カードが前記無線電話装置本体に装着されているが前記ＰＩＮの入力がない場合には、前記無線電話装置本体の表示手段に前記ＰＩＮの入力を促すメッセージを表示させると共に、前記外部機器に対して、当該外部機器が有する表示手段に前記ＰＩＮの入力を促すメッセージを表示させるよう指示することを特徴とするカード付き無線電話装置。
【請求項２】
前記制御手段は、ＰＩＮ照合の結果、両者が一致したならば前記カードに記憶された個人情報の読み出し又は書き込みを許容し、両者が一致しなかったならば前記カードに記憶された個人情報の読み出し又は書き込みを禁止することを特徴とする請求項１記載のカード付き無線電話装置。
【請求項３】
前記外部機器は、前記外部入力手段としての車載入力手段でダイヤル操作して、車内のマイク及びスピーカを使って、前記無線電話装置本体の無線部を利用して通話が可能であることを特徴とする請求項１又は２記載のカード付き無線電話装置。
【発明の詳細な説明】
【０００１】
【発明の属する技術分野】
本発明は、無線電話装置に関し、特に、個人情報の記憶されたカードを着脱自在とした無線電話装置に関する。
【０００２】
【従来の技術】
近年、携帯電話やＰＨＳや自動車電話などに代表される無線電話装置が老若男女を問わず広く普及している。このような無線電話装置は、相手から電話がかかってきたときにその電話に出られない事情がある場合にその相手からのメッセージを内蔵メモリに録音する留守録機能や、電話をかける相手の電話番号とそれに対応する短縮ダイヤル又は登録とを予め内蔵メモリに記憶しておき（電話帳データという）、電話をかけるときには短縮ダイヤル又は登録名を入力するか選択ボタンで選択するだけで、それに対応する電話番号にダイヤル発信するメモリダイヤル機能を備えたものが多い。更に、着信音の鳴音パターンについても個人の好みに合わせて複数のパターンの中から選択したりあるいは自らパターンを作成したりして、そのパターンをメモリに記憶しておき、着信時にはそのパターンで鳴音させる鳴音パターン設定機能を備えたものも増えつつある。
【０００３】
【発明が解決しようとする課題】
このような無線電話装置の一形態として、カード付き無線電話装置が開発されつつある。このカード付き無線電話装置は、例えばハンドセットにカード差込口としてのスロットを設け、このスロットにＩＣカードなどのカードを差し込み、このカードに記憶されている個人情報を利用するものである。このカードには、カード所有者の種々の個人情報（例えば、電話番号、メモリダイヤル機能における電話帳データ、鳴音パターン設定機能における鳴音パターンなど）が記憶されている。このようなカード付き無線電話装置では、個人ユースのカードを他人が勝手に使うことができないように、カードを差し込んだ後、電話を使用する前にＰＩＮをキー入力し、カード付き無線電話装置がこの入力されたＰＩＮとカードに記憶されているＰＩＮとの照合を行い、両者が一致するときのみ、そのカードの使用を許可することが、セキュリティを保つうえで重要である。
【０００４】
このようなカード付き無線電話装置によれば、例えば、ある特定の人がそのようなカードを持つことにより、あるときは自分所有の携帯電話にそのカードを差し込んで使用し、あるときは会社所有の携帯電話にそのカードを差し込んで使用することができるので、カードに記憶された電話番号を複数の携帯電話で共用でき、従来のように自分所有の携帯電話の電話番号と会社所有の携帯電話の電話番号を別々に覚えておく必要がない。また、個人が作成した電話帳データや鳴音パターンをカードを差し込むだけですぐに利用できるため、いちいち個別に電話帳データや鳴音パターンを作成する必要がない。
【０００５】
ところで、無線電話装置である自動車電話については、車内に取り付けられたマイクや音響スピーカを利用して電話を可能にするシステムが開発されている。例えば、自動車に搭載したマルチＴＶ（例えばＴＶ・ＣＤモード、ナビゲーションモードなどを含むマルチメディアシステム）に電話ユニットを組み込み、使用者がマルチＴＶにおいて電話ユニットを呼び出したときは、マルチＴＶの画面上に電話のテンキーを表示し、この画面をタッチすることにより電話として機能させることが考えられる。このように、自動車電話と外部機器であるマルチＴＶとを接続して、このマルチＴＶから自動車電話を利用することができる。このような利用形態において、自動車電話を上述のようなカード付きタイプとした場合、使用者は、自動車電話にカードを差し込み、自動車電話のハンドセットのテンキーを使ってＰＩＮを入力し、その後、マルチＴＶを操作して電話ユニットを呼び出し、マルチＴＶ上でキー入力することになる。このため、使用者は自動車電話のハンドセットと外部機器であるマルチＴＶの両方を操作しなければならず、操作性が煩雑になるという問題がある。
【０００６】
一方、携帯電話やＰＨＳなどの無線電話装置についても、カード付きタイプとした場合、外部機器としてパソコンを接続し、差し込まれたカードに記憶された種々の個人情報を、パソコンを使って編集したり他のマルチメディア機器との間でやり取りを行ったりすることが考えられる。このような利用形態においても、使用者は無線電話装置のテンキーを使ってＰＩＮを入力し、カードを利用可能な状態とした後、パソコンを使ってカードに記憶された個人情報を編集等することになる。このため、使用者は無線電話装置と外部機器であるパソコンの両方を操作しなければならず、操作性が煩雑になるという、上記と同様の問題がある。
【０００７】
本発明は上記課題に鑑みなされたものであり、その目的は、カード付き無線電話装置において、外部機器によりスムーズにカードを利用できるものを提供することにある。
【０００８】
【課題を解決するための手段及び発明の効果】
上記課題を解決するため、本発明のカード付き無線電話装置は、
個人識別番号であるＰＩＮ（パーソナル・アイデンティティ・ナンバー）を含む個人情報が記憶されたカードと、
前記カードが着脱可能に装着された無線電話装置本体と、
前記無線電話装置本体に設けられ、前記ＰＩＮを入力可能な本体入力手段と、
前記無線電話装置本体に設けられ、前記本体入力手段から入力されたＰＩＮと前記カードに記憶されたＰＩＮとを照合し、両者が一致したならば前記カードを利用可能とし、両者が一致しなかったならば前記カードを利用不可能とする制御手段と、
前記ＰＩＮを入力可能であって前記カードを利用可能な外部機器と接続するためのコネクタと
を備え、
前記制御手段は、前記コネクタに前記外部機器が接続された場合であって前記外部機器からＰＩＮが入力された場合には、該ＰＩＮと前記カードに記憶されたＰＩＮとを照合し、両者が一致したならば前記カードを利用可能とし、両者が一致しなかったならば前記カードを利用不可能とすると共に、
前記無線電話装置本体及び外部機器は、共に表示手段を備えており、前記制御手段は、前記カードが前記無線電話装置本体に装着されているが前記ＰＩＮの入力がない場合には、前記無線電話装置本体の表示手段に前記ＰＩＮの入力を促すメッセージを表示させると共に、前記外部機器に対して、当該外部機器が有する表示手段に前記ＰＩＮの入力を促すメッセージを表示させるよう指示することを特徴とする。
【０００９】
本発明のカード付き無線電話装置では、無線電話装置本体にカードを装着し且つコネクタに外部機器を接続した状態で、本体入力手段又は外部機器からＰＩＮつまり個人識別番号を入力すると、制御手段は入力されたＰＩＮとカードに記憶されたＰＩＮとを照合し、両者が一致した場合にはカードの利用を許容し、両者が一致しなかった場合にはカードの利用を禁止する。ここで、カードの利用とは、例えば、カードに記憶された個人情報の読み出したり書き込んだりすること、あるいは、カードに電話番号が記憶されている場合にはその電話番号を利用すること（この場合、その電話番号登録者に課金される）などをいう。
【００１０】
ところで、ＰＩＮ照合の結果が不一致の場合には、操作者がカード所有者に無断でそのカードを利用しようとしている第三者である可能性が高い。このため、そのような第三者にカードの読み書きを許容した場合には、カードに記憶されていた個人的に重要な伝言メッセージが消去されたり電話帳データが改ざんされたりするおそれがあるため、これを防止するためにカードの利用（カードに記憶された個人情報の読み出しや書き込み）を禁止するのである。また、そのような第三者がカードに記憶された電話番号を勝手に利用した場合には、電話番号登録者に課金されてしまうため、これを防止するためにカードの利用（カードに記憶された電話番号の利用）を禁止するのである。
【００１１】
そして、無線電話装置本体及び外部機器が共に表示手段を備えるようにし、カードが無線電話装置本体に装着されているがＰＩＮ入力がない場合には、無線電話装置本体の表示手段及び外部機器が有する表示手段にＰＩＮ入力を促すメッセージを表示させるように構成している。
本発明のカード付き無線電話装置によれば、外部機器を介してカードを利用する場合において、いちいち無線電話本体に設けられた本体入力手段からＰＩＮを入力しなくても、外部機器からＰＩＮを入力すればよく、操作性が優れている。本発明において、前記外部機器は、自動車に搭載された車載入力手段でダイヤル操作して、車内のマイク及びスピーカを使って、前記無線電話装置本体の無線部を利用して通話が可能なものであってもよい。この場合、車載入力手段でＰＩＮを入力し、続いて同じ車載入力手段でダイヤル操作して電話することができるため、使い勝手を損なうことがない。なお、この場合のように外部機器で電話する場合には、無線電話装置本体はカードのリーダライタとして機能することになる。
【００１２】
【発明の実施の形態】
以下に、本発明の好適な実施形態を図面に基づいて説明する。
［第１実施形態］
本実施形態では、外部機器としてのマルチＴＶシステムが接続されたカード付き自動車電話について説明する。図１は本実施形態の全体構成を表す概略構成図、図２は本実施形態の回路構成を表す概略ブロック図である。
【００１３】
カード付き自動車電話装置１０は、図１に示すように、無線電話装置本体を成すハンドセット１１、クレードル１２及び無線機１３と、個人情報が記憶されたカード１４と、外部機器と接続するためのコネクタ１５から構成されている。ハンドセット１１は、図示しないスロットを備えており、このスロットにはカード１４が着脱自在に装着される。クレードル１２は例えば自動車のコンソールボックスなどに配置され、ハンドセット１１を使わない場合にそのハンドセット１１を支持するものである。無線機１３は例えば自動車のトランクルームなどに配置され、アンテナ１６を介して他の電話装置との通信を行うものである。
【００１４】
図２に示すように、ハンドセット１１は、他の電話装置から送信されてきたメッセージやカード付き自動車電話装置１０の操作案内・動作状況等を表示するためのＬＣＤなどの表示部２１と、ダイヤル入力などを行うための各種キースイッチが設けられた操作部２２と、装着されたカード１４との信号をやり取りするためのカードインタフェース部（以下、カードＩ／Ｆという）２３と、ハンドセット通話時に相手の音声を出力するためのスピーカ２４と、ハンドセット通話時に自分の音声を入力するためのマイク２５と、操作部２２やマイク２５や無線機１３などからの信号を入力し表示部２１やスピーカ２４やクレードル１２や無線機１３などへ信号を出力する制御手段としてのハンドセットコントローラ２６などを備えている。なお、ハンドセットコントローラ２６は、周知のＣＰＵ、ＲＯＭ、ＲＡＭなどを備えている。
【００１５】
クレードル１２は、無線機１３を通じて他の電話装置からの呼出信号着信時に着信音を発生するためのスピーカ２７と、車両のバッテリＢＴからの電圧（通常１０〜１５Ｖ）を所定の電源電圧に変換して、ハンドセット１１内の各部位及びクレードル１２内の各部位に供給する電源回路２８と、ハンドセットコントローラ２６からの指令に基づき、電源回路２８から各部位への電源供給を制御する電源制御回路２９を備えている。なお、ハンドセットコントローラ２６及び無線機コントローラ３１には、電源制御回路２９を介さずに電源回路２８から直接電源が供給されるようになっている。
【００１６】
無線機１３は、所定の変調方式によって音声を送受信する送受信機３０と、送受信機３０やハンドセットコントローラ２６やコネクタ１５に接続された外部機器などと信号をやり取りする無線機コントローラ３１とを備えている。なお、無線機コントローラ３１は周知のＣＰＵ、ＲＯＭ、ＲＡＭなどを備えている。
【００１７】
カード１４は、本実施形態ではＩＣカードであるＳＩＭ（Ｓｕｂｓｃｒｉｂｅｒ  Ｉｄｅｎｔｉｔｙ  Ｍｏｄｕｌｅ）カードを採用している。ＥＥＰＲＯＭから構成されているメモリには、自己を識別するためのＰＩＮデータと、メモリダイヤル登録された通話先の電話番号、短縮番号、登録名の電話帳データと、着信音の鳴音パターンの設定やキー操作の際に鳴音するキー操作確認音の設定などの各種設定データとが、記憶されている。
【００１８】
コネクタ１５は、無線機１３の無線機コントローラ３１と外部機器とを接続するためのものであり、本実施形態では外部機器としてマルチＴＶシステム３２が接続されている。
マルチＴＶシステム３２は、音響ＣＤやテレビの音声などを出力するための音響スピーカ３３に音声信号を出力したり車内の音声をピックアップするための車内マイク３４から音声信号を入力するための電話ユニット３５と、この電話ユニット３５以外の他のメディア機器３６（例えばナビゲーションユニットなど）と、画面を指でタッチするとスイッチが切り替わるタッチスイッチ付きのディスプレイ３７（本発明の車載入力手段に相当）と、これらを制御すると共にコネクタ１５を介して無線機コントローラ３１と信号をやり取りするマルチＴＶコントローラ３８とを備えている。なお、マルチＴＶコントローラ３８は、周知のＣＰＵ、ＲＯＭ、ＲＡＭなどから構成され、マルチＴＶシステム３２の電源スイッチ（図示せず）がオンされるとバッテリＢＴから電源が供給される。
【００１９】
次に、上記のように構成された本実施形態の作用について説明する。
自動車のイグニッションスイッチ（図示せず）が操作されると、バッテリＢＴからの電圧が電源回路２８を介してハンドセットコントローラ２６や無線機コントローラ３１に供給される。すると、ハンドセットコントローラ２６は、所定時間おき（数ｍｓおき）に図３に示すモード設定処理を実行する。
【００２０】
この処理が開始されると、ハンドセットコントローラ２６は、最初のステップ（以下Ｓという）１１０において、カード１４がハンドセット１１の図示しないスロットに差し込まれているかどうかを判断する。この判断は例えばスロット内に設けた光センサなどのカード検出センサからの出力信号に基づいて行う。このＳ１１０にてカード１４がスロットに差し込まれていなければ（Ｓ１１０でＮＯ）、ハンドセットコントローラ２６のＲＡＭのうちカード利用に関するモード（ここでは、カードの利用を許可する「カード利用許可モード」、又は、カードの利用を禁止する「カード利用禁止モード」）を記憶する領域をリセットし（Ｓ１１５）、この処理を終える。このため、一旦差し込んだカード１４を抜き取ると、カード利用に関するモードはリセットされる。一方、Ｓ１１０にてカード１４がスロットに差し込まれているならば（Ｓ１１０でＹＥＳ）、Ｓ１２０へ進む。
【００２１】
なお、カード１４がスロットに差し込まれていない場合、ハンドセット１１の表示部２１に（マルチＴＶシステム３２が電源オンされた状態で電話ユニット３５が選択されている場合にはタッチスイッチ付きディスプレイ３７にも）、カード装着を促すメッセージとして例えば「カードを装着してください」などと表示してから処理を終えるようにし、カード１４がスロットに差し込まれたらこのメッセージを消すようにしてもよい。
【００２２】
さて、ハンドセットコントローラ２６は、続くＳ１２０において、ハンドセットコントローラ２６のＲＡＭのうちカード利用に関するモードを記憶する領域に、既に「カード利用許可モード」か「カード利用禁止モード」のいずれかのモードが記憶されているかどうかを判断する（Ｓ１２０）。そして、この領域にいずれかのモードが既に記憶されていれば（Ｓ１２０でＹＥＳ）、現在装着されているカード１４の使用可否は既に判断されているため、そのままこの処理を終える。一方、この領域がリセットされた状態であれば（Ｓ１２０でＮＯ）、続くＳ１３０において、ハンドセット１１の操作部２２又はマルチＴＶシステム３２のタッチスイッチ付きディスプレイ３７からＰＩＮが入力されたか否かを判断する。タッチスイッチ付きディスプレイ３７からＰＩＮが入力される場合としては、マルチＴＶシステム３２が電源オンされ且つ電話ユニット３５が選択されている場合が相当する。そしてタッチスイッチ付きディスプレイからＰＩＮが入力されると、そのＰＩＮはマルチＴＶコントローラ３８、無線機コントローラ３１を介してハンドセットコントローラ２６に伝えられる。
【００２３】
続くＳ１３０において、ハンドセットコントローラ２６は、いずれからもＰＩＮが入力されていなければ（Ｓ１３０でＮＯ）、この処理を終える。一方、Ｓ１３０にて、いずれかからＰＩＮが入力されたならば（Ｓ１３０でＹＥＳ）、Ｓ１４０に進む。なお、ＰＩＮが入力されない場合、ハンドセット１１の表示部２１に（マルチＴＶシステム３２が電源オンされた状態で電話ユニット３５が選択されている場合にはタッチスイッチ付きディスプレイ３７にも）、ＰＩＮ入力を促すメッセージとして例えば「暗証番号を入力してください」などと表示し、ＰＩＮが入力されたらこのメッセージを消すようにしてもよい。
【００２４】
続くＳ１４０では、カード１４に記憶されたＰＩＮを読み出し、この読み出したＰＩＮと、ハンドセット１１の操作部２２又はマルチＴＶシステム３２のタッチスイッチ付きディスプレイ３７から入力されたＰＩＮとが一致するかどうかを照合する。そして、続くＳ１５０では、ＰＩＮ照合の結果、両者が一致しなかったならば（Ｓ１５０でＮＯ）、ハンドセットコントローラ２６のＲＡＭのカード利用に関するモードを記憶する領域に「カード利用禁止モード」をセットし（Ｓ１６０）、この処理を終える。一方、Ｓ１５０にて両者が一致した場合には（Ｓ１５０でＹＥＳ）、カード１４に記憶された電話番号の登録者又はその登録者から許諾を受けた者がこのカード付き自動車電話装置を使用すると判断して、前述のカード利用に関するモードを記憶する領域に「カード利用許可モード」をセットし（Ｓ１７０）、この処理を終える。
【００２５】
なお、カード利用に関するモードを記憶する領域はＲＡＭの一部であるため、ハンドセットコントローラ２６に電源が供給されなくなったとき（例えば自動車のキーシリンダからキーが抜かれたとき）、リセットされる。
ところで、ハンドセットコントローラ２６は、通常動作を実行する前に、カード利用に関するモードを記憶する領域の内容を読み出し、モードを確認する。そして、読み出したモードが「カード利用許可モード」の場合には、通常動作を実行する。具体的には、ハンドセット１１の操作部２２からの入力信号又はマルチＴＶシステム３２のタッチスイッチ付きディスプレイ３７からの入力信号に応じて、電話としての通常動作を実行し、適宜カードＩ／Ｆ２３を介してカード１４にアクセスする。一方、読み出したモードが「カード利用禁止モード」の場合には、ハンドセット１１の表示部２１に（マルチＴＶシステム３２が電源オンされた状態で電話ユニット３５が選択されている場合にはタッチスイッチ付きディスプレイ３７にも）、カード１４が利用できない旨のメッセージとして例えば「カードは使用できません」などと表示し、通常動作を実行しない。
【００２６】
ここで、通常動作とは、一般的な電話装置としての機能を実現するための各種制御処理をいい、例えば、▲１▼無線機１３の送受信機３０を介し、電話回線網に対して他の電話装置を呼び出すための発呼信号を送信させる発呼処理、▲２▼基地局から呼出信号が送信されてきたときにクレードル１２のスピーカ２７からカード１４に記憶された鳴音パターンで着信音を鳴らす受信処理、▲３▼着信音の発生により使用者がこの自動車電話装置１０を電話回線網に接続する指令を入力した際にこの自動車電話装置１０を電話回線網に接続させる接続処理、▲４▼発呼処理により呼出先の電話装置が電話回線網に接続されてその着呼者側の電話装置との通話が可能になったときや接続処理により当該自動車電話装置１０が電話回線網に接続されて発呼者側の電話装置との通話が可能になったときに、使用者がハンドセット１１のマイク２５から入力した信号を基地局側に送信したり電話回線網から送信されてきた音声信号をハンドセット１１のスピーカ２４から出力させる音声入出力処理、▲５▼着信音の鳴音パターンの更新操作を行った場合にその更新内容をカード１４に記憶する鳴音パターン更新処理、▲６▼留守録機能をセットしていた場合に得た伝言メッセージをカード１４に記憶したりカード１４に記憶された伝言メッセージを再生したりする留守録処理、▲７▼ハンドセット１１の操作部２２又はマルチＴＶシステム３２のタッチスイッチ付きディスプレイ３７から入力された短縮ダイヤルや登録名に基づいてカード１４に記憶された電話帳データから対応する電話番号を読み出して発呼する短縮ダイヤル発呼処理、▲８▼電話帳データの更新操作を行った場合にその更新内容をカード１４に記憶する電話帳データ更新処理、などが例示される。
【００２７】
このように、本実施形態のカード付き自動車電話装置１０によれば、コネクタ１５に接続された外部機器としてのマルチＴＶシステム３２のタッチスイッチ付きディスプレイ３７によりハンドセット１１に差し込んだカード１４の電話番号を利用して通話したりカード１４に記憶された各種データを更新したりする場合において、いちいちハンドセット１１の操作部２２からＰＩＮを入力しなくても、マルチＴＶシステム３２のタッチスイッチ付きディスプレイ３７からＰＩＮを入力すればよく、操作性が優れている。
【００２８】
また、本実施形態においては、カード１４には個人情報として少なくとも電話番号が記憶されているため、カード所有者に無断で第三者がカードを使用すると、カード所有者の知らないうちにその電話番号の登録者（多くはカード所有者と同じ）に課金されてしまうという不都合が生じる。このため、特に、セキュリティを高くする必要があり、ＰＩＮ照合を行う必要性が高いと同時に、マルチＴＶシステム３２のタッチスイッチ付きディスプレイ３７の操作のみによりカード１４が利用できるようにする需要が高く、上記効果が有効に発揮される。
【００２９】
［第２実施形態］
本実施形態では、外部機器としてのパーソナルコンピュータ（以下パソコンという）が接続されたカード付き携帯電話について説明する。図４は本実施形態の回路構成を表す概略ブロック図である。
【００３０】
カード付き携帯電話５０は、図４に示すように、無線電話装置本体５１と、個人情報が記憶されたカード５４と、外部機器と接続するためのコネクタ５５から構成されている。なお、カード５４及びコネクタ５５については第１実施形態のカード１４及びコネクタ１５と同様であるため、その説明を省略する。無線電話装置本体５１は図示しないスロットを備えており、このスロットにカード５４が着脱自在に装着される。この無線電話装置本体５１は、表示部６１、操作部６２、カードインタフェース部６３、スピーカ６４、マイク６５、コントローラ６６及び送受信機６７を備えている。これらの構成要素は、第１実施形態においてそれぞれ対応する構成要素とほぼ同様であるため、その説明は省略する。なお、本実施形態のコントローラ６６は、第１実施形態のハンドセットコントローラ２６と無線機コントローラ３１とを併せたものである。また、内蔵されたニッカド電池６８により各部へ電源を供給している。この無線電話装置本体５１にコネクタ５５を介して接続されたパソコン７０は、ディスプレイ７１、キーボード７２、プリンタ７３などの周辺機器が、ＣＰＵ、ＲＯＭ、ＲＡＭなどで構成されるパソコン本体７４に接続された一般的な構成のものである。
【００３１】
上記のように構成された本実施形態のコントローラ６６は、ニッカド電池６８から電源供給を受けると、所定時間おき（数ｍｓおき）に図３とほぼ同様のモード設定処理を実行して、ＰＩＮ照合の結果に応じて「カード利用許可モード」か「カード利用禁止モード」のいずれかをセットする。但し、本実施形態では外部機器がマルチＴＶシステム３２ではなくパソコン７０であり、外部機器の入力手段がタッチスイッチ付きディスプレイ３７ではなくキーボード７２である点で、第１実施形態と相違する。
【００３２】
ところでコントローラ６６は、通常動作（既述済み）を実行する前に、カード利用に関するモードを記憶する領域の内容を読み出し、モードを確認する。そして、読み出したモードが「カード利用許可モード」の場合には、通常動作を実行する。具体的には、ハンドセット１１の操作部２２からの入力信号に応じて電話としての通常動作を実行し、適宜カードＩ／Ｆ６３を介してカード５４にアクセスし、また、パソコン７０のキーボード７２からの入力信号に応じて適宜カードＩ／Ｆ６３を介してカード５４の読み書きを行う。一方、読み出したモードが「カード利用禁止モード」の場合には、無線電話装置本体５１の表示部６１に（パソコン７０が電源オンされている場合にはディスプレイ７１にも）、カード５４が利用できない旨のメッセージとして例えば「カードは使用できません」などと表示し、通常動作やカード５４の読み書きを実行しない。
【００３３】
ここで、パソコン７０によるカード５４の読み書きとは、具体的には、▲１▼カード５４に記憶したＰＩＮを更新するＰＩＮ更新処理、▲２▼カード５４に記憶した電話帳データに新たな電話番号、短縮番号、登録名を登録したり、電話帳データに登録してある電話番号を削除したり短縮番号又は登録名を変更するなどして編集する電話帳データ編集処理、▲３▼着信音の鳴音パターンやキー操作確認音の設定を変更する設定変更処理、などがある。
【００３４】
このように、本実施形態のカード付き携帯電話５０によれば、コネクタ５５に接続された外部機器としてのパソコン７０のキーボード７２により無線電話装置本体５１に差し込んだカード５４の読み書きをする場合において、いちいち無線電話装置本体５１の操作部６２からＰＩＮを入力しなくても、パソコン７０のキーボード７２からＰＩＮを入力すればよく、操作性が優れている。
【００３５】
尚、本発明の実施の形態は、上記実施形態に何ら限定されるものではなく、本発明の技術的範囲に属する限り種々の形態を採り得ることはいうまでもない。
例えば、上記第１実施形態において、無線機コントローラ３１とハンドセットコントローラ２６を一体化した一つのコントローラとし、これにコネクタ１５を設ける構成としてもよい。この場合、コントローラにかかるコストを低減でき、装置全体をコンパクト化できる。
【００３６】
また、ＰＩＮ照合の結果が不一致の場合には、上記第１実施形態においては電源回路２８からハンドセットコントローラ２６や無線機コントローラ３１への電源供給をストップさせることにより、上記第２実施形態においてはニッカド電池６８からコントローラ６６への電源供給をストップさせることにより、カード１４の利用を禁止してもよい。
【００３７】
更に、上記各実施形態では、カード１４、５４としてＩＣカードを用いたが、例えば磁気カードなどを利用してもよいし、カード１４、５４と実質的に同等のメモリ機能を有するメモリユニットでもよい。但し、ＩＣカードは、一般に磁気カードなどと比べてセキュリティ機能が高く、また記憶容量も大きいので汎用性は高いので、本発明を実施するうえでより好適である。
【００３８】
更に又、カード１４、５４に記憶されているＰＩＮは、予めカード所有者がカードに登録したものを用いてもよいし、カードに記憶されている固有の識別情報（例えばＩＣカードの製造番号など）としてもよいし、カード所有者の電話番号であってもよい。
【図面の簡単な説明】
【図１】第１実施形態の全体構成を表す概略構成図である。
【図２】第１実施形態の回路構成を表す概略ブロック図である。
【図３】ハンドセットコントローラにて実行されるモード設定処理のフローチャートである。
【図４】第２実施形態の回路構成を表す概略ブロック図である。
【符号の説明】
１０・・・カード付き自動車電話装置、１１・・・ハンドセット、１２・・・クレードル、１３・・・無線機、１４・・・カード、１５・・・コネクタ、１６・・・アンテナ、２１・・・表示部、２２・・・操作部、２３・・・カードインタフェース部、２４・・・スピーカ、２５・・・マイク、２６・・・ハンドセットコントローラ、３０・・・送受信機、３１・・・無線機コントローラ、３２・・・マルチＴＶシステム、３３・・・音響スピーカ、３４・・・車内マイク、３５・・・電話ユニット、３６・・・他のメディア機器、３７・・・タッチスイッチ付きディスプレイ、３８・・・マルチＴＶコントローラ。
【図１】
0003580690.tif 000002
【図２】
0003580690.tif 000003
【図３】
0003580690.tif 000004
【図４】
0003580690.tif 000005